(57)【要約】【課題】本発明のパンタグラフ式ジャッキは、本発明は、雌ネジメタルの部分を改良し、ネジ棒が短くても、生産性と昇降機能の円滑性と格納の性能に優れるパンタグラフ式ジャッキを提供する。【解決手段】荷受台と基台が上下に配され、その間に左右上アームと左右下アームがパンタグラフ状に左側連結部材と右側連結部材とにより連結され、両左側連結部材と右側連結部材間にネジ棒が差渡され、該ネジ棒の回転により両左側連結部材と右側連結部材間を拡縮し、基台に対して荷受台を昇降するパンタグラフ式ジャッキにおいて、前記左側連結部材は、その支軸部を構成するメネジ軸と、右側連結部材側の延長部に雌ネジ部を備えるメネジ補助筒体と、メネジ軸に対して回り止めとなる回止め枠がメネジ補助筒体に設けられてなる。【選択図】図６
2016132560.tif 000002
【特許請求の範囲】
【請求項１】
荷受台と基台が上下に配され、その間に左右上アームと左右下アームがパンタグラフ状に左側連結部材と右側連結部材とにより連結され、両左側連結部材と右側連結部材間にネジ棒が差渡され、該ネジ棒の回転により両左側連結部材と右側連結部材間を拡縮し、基台に対して荷受台を昇降するパンタグラフ式ジャッキにおいて、前記左側連結部材は、その支軸部を構成するメネジ軸と、右側連結部材側の延長部に雌ネジ部を備えるメネジ補助筒体と、メネジ軸に対して回り止めとなる回止め枠がメネジ補助筒体に設けられてなるパンタグラフ式ジャッキ。
【請求項２】
前記メネジ軸は、丸棒の外周面が対向する平行面により中心から等距離に削設された２面平行丸棒体であると共に、ネジ棒が通る通路孔が形成されてなる請求項１のパンタグラフ式ジャッキ。
【請求項３】
前記メネジ補助筒体は、その一端に前記メネジ軸を嵌挿する軸受孔が横断して設けられ、その他端の延長突出端に前記ネジ棒を先端から螺合する雌ネジ部と雌ネジ部から一端へネジ棒が進退する透孔が形成されてなる請求項１または請求項２のパンタグラフ式ジャッキ。
【請求項４】
前記回止め枠は、方形板材を、その中央部を方形に残して両側部分を折曲して側板部が対面するコ字型状に設け、前記両側の側板部には回止め孔が配備されて前記メネジ軸が回転不能に嵌挿保持されると共に前記メネジ補助筒体の外周面の前後に対応して設けた凹部に前記両側の側板部においてカシメ等の手段により突出させた突出部が嵌入固着されてなる請求項１、請求項２または請求項３のパンタグラフ式ジャッキ。
【請求項５】
前記回止め枠の中央部にはネジ棒の通る開孔が開設されてなる請求項４のパンタグラフ式ジャッキ。
【発明の詳細な説明】
【技術分野】
【０００１】
本発明は、パンタグラフ式ジャッキ、特にそのネジ棒とそれに螺合するネジメタルに関するものである。
【背景技術】
【０００２】
特許文献１には、パンタグラフ式ジャッキにおけるスクリュー杆の螺動機構において、スクリュー杆Ｂの雄ネジを螺合するために設けた雌ネジ２４を有する螺合部２２と、該螺合部２２の反対側端部にパンタグラフ機構の片側を構成する下部支持杆３と上部支持杆６のそれぞれの端部を枢支するピン８，８を設ける枢着部２３と、前記螺合部２２と枢着部２３との間の適宜所望長さの距離区間をアーム部２１として鋼管あるいは鋼版細条片を素材にして一体に形成した本体２０で螺動受け機構Ａを構成し、この螺動受け機構Ａの全長とスクリュー杆Ｂの端部を螺合して必要長さのスクリュー杆の全長を形成することができるパンタグラフ式ジャッキが開示されている。
【０００３】
特許文献２には、パンタグラフジャッキにおいて、延長管（２０）をパンダグラフのジョイント（９)に設けてねじ山付環（２７）をジャッキの短いねじ（１１）に向って延長させ、延長管は一体の構造を有し、且つタブをジョイントのトラニオン（２１）のまわりにかしめることによってジョイントに位置決めされる、パンタグラフジャッキが開示されている。
【先行技術文献】
【特許文献】
【０００４】
【特許文献１】実開昭５７−１０６６９６号公報
【特許文献２】特開平７−１０６６９６号公報
【発明の開示】
【発明が解決しようとする課題】
【０００５】
特許文献１は、前述のように構成されたスクリュー杆Ｂと螺動受け機構Ａからなるのでスクリュー杆Ｂを可及的に短く設けることができ、スクリュー杆Ｂの螺合端側をアームの外端より突出させない状態に折畳み格納することができるが、螺動受け機構Ａにアームを枢支するピン８は中間が中断されて枢着部２３が構成されるため、強度的に弱点となり、その上に機構が複雑でコスト高を招く欠点がある。
【０００６】
特許文献２は、前述のように、パンタグラフの第１及び第３アームの第１ジョイントは開放ジョウに形成され、該ジョーは延長手段の一体のトラニオンのまわりに締め付けられて、組合せて第１及び第３アームの前記ジョーに回動自在に取り付けられた延長手段を形成する。よって、延長手段の全体が一体であるからダイキャスト製でなければならない点と第１及び第３アームの開放ジョウを締め付ける製造工程が必要となる欠点がある。
【０００７】
本発明は、パンタグラフ式ジャッキにおいて、ジャッキアップのストローク量を小さくすることなく格納効率を向上することができるパンタグラフ式ジャッキの提供を目的になされたものである。
【０００８】
通常のパンタグラフ式ジャッキは、図７のような構造のものが主として市販されており、これを使用すると、ネジ棒２８が左上アーム２２ａと左下アーム２４ａを連結する雌ネジメタル２６から突出し、車両搭載時に邪魔になっている。
【０００９】
本発明は、雌ネジメタル２６の部分を改良し、ネジ棒２８が短くても、生産性と昇降機能の円滑性と格納の性能に優れるパンタグラフ式ジャッキを提案する。
【課題を解決するための手段】
【００１０】
荷受台と基台が上下に配され、その間に左右上アームと左右下アームがパンタグラフ状に左側連結部材と右側連結部材とにより連結され、両左側連結部材と右側連結部材間にネジ棒が差渡され、該ネジ棒の回転により両左側連結部材と右側連結部材間を拡縮し、基台に対して荷受台を昇降するパンタグラフ式ジャッキにおいて、前記左側連結部材は、その支軸部を構成するメネジ軸と、右側連結部材側の延長部に雌ネジ部を備えるメネジ補助筒体と、メネジ軸に対して回り止めとなる回止め枠がメネジ補助筒体に設けられてなるパンタグラフ式ジャッキにある。
【００１１】
前記メネジ軸は、丸棒の外周面が対向する平行面により中心から等距離に削設された２面平行丸棒体であると共に、ネジ棒が通る透孔が形成されてなるものでもよいものである。
【００１２】
前記メネジ補助筒体は、その一端に前記メネジ軸を嵌挿する軸受孔が横断して設けられ、その他端の延長突出端に前記ネジ棒を先端から螺合する雌ネジ部と雌ネジ部から一端へネジ棒が進退する通路孔が形成されてなるものでもよいものである。
【００１３】
前記回止め枠は、方形板材を、その中央部を方形に残して両側部分を折曲して側板部が対面するコ字型状に設け、前記両側の側板部には回止め孔が配備されて前記メネジ軸が回転不能に嵌挿保持されると共に前記メネジ補助筒体の外周面の前後に対応して設けた凹部に前記両側の側板部においてカシメ等の手段により突出させた突出部が嵌入固着されてなるものでもよいものである。
【００１４】
前記回止め枠の中央部にはネジ棒の通る開孔が開設されてなるものでもよいものである。
【発明の効果】
【００１５】
本発明のパンタグラフ式ジャッキの左側連結部材を構成するメネジ補助筒体の雌ネジ部にネジ棒の雄ネジ部を螺合させ、従来のネジ棒に比較して短く構成することができ、先端を回止め枠の中央部より外方に大きく突出させることなく格納状態に折畳むことができる。
【００１６】
本発明のパンタグラフ式ジャッキの左側連結部材は、前述のように構成されるから、ネジ棒の雄ネジ部は、メネジ補助筒体の雌ネジ部に螺合させ、従来のネジ棒に比較して短く構成することができ、先端を回止め枠の中央部より外方に大きく突出させることなく格納状態に折畳むことができる。
【００１７】
本発明のパンタグラフ式ジャッキの左側連結部材を構成するメネジ軸は、丸棒の中心から等距離に外周面が削設されて対向する２面平行丸棒体であると共に従来の雌ネジ孔の部分が通路孔に形成されるから、メネジ軸が回止め枠の側板部の回止め孔に嵌挿された状態では、回止め枠に保持されてメネジ補助筒体と一体の定位置に保持され、ネジ棒と衝突することがない。
【００１８】
本発明のパンタグラフ式ジャッキの左側連結部材を構成するメネジ補助筒体に対して回止め枠は、メネジ補助筒体の外周面に形成した凹部に回止め枠の側板部の対応部が押圧等のプレス手段で突入され、両者が固着されるから簡易な工程で強固に一体化ができる。
【図面の簡単な説明】
【００１９】
【図１】本発明のパンタグラフ式ジャッキの伸長状態を示す正面図である。
【図２】同じく、本発明の要部の拡大断面図である。
【図３】同じく、本発明の要部の雌ネジメタルの拡大分解図である。
【図４】同じく、本発明の要部の雌ネジメタルの拡大組立斜視図である。
【図５】同じく、本発明の要部の雌ネジメタルの拡大組立平面図である。
【図６】図１のＡ−Ａ線に沿う拡大断面図である。
【図７】従来のパンタグラフ式ジャッキの伸長状態を示す正面図である。
【図８】図７のＢ−Ｂ線に沿う拡大断面図である。
【発明を実施するための形態】
【００２０】
荷受台と基台が上下に配され、その間に左右上アームと左右下アームがパンタグラフ状に連結され、両連結部間にネジ棒が差渡され、該ネジ棒の回転により両連結部間を拡縮し、基台に対して荷受台を昇降するパンタグラフ式ジャッキにおいて、前記左側連結部材は、その支軸部を構成するメネジ軸と、右側連結部材側の延長部に雌ネジ部を備えるメネジ補助筒体と、メネジ軸に対して回り止めとなる回止め枠がメネジ補助筒体に設けられ、前記メネジ軸は、丸棒の外周面が対向する平行面により中心から等距離に削設された２面平行丸棒体であると共に、ネジ棒が通る透孔が形成され、前記メネジ補助筒体は、その一端に前記メネジ軸を嵌挿する軸受孔が横断して設けられ、その他端の延長突出端に前記ネジ棒を先端から螺合する雌ネジ部と雌ネジ部から一端へネジ棒が進退する通が形成され、前記回止め枠は、方形板材を、その中央部を方形に残して両側部分を折曲して側板部が対面するコ字型状に設け、前記両側の側板部には回止め孔が配備されて前記メネジ軸が回転不能に嵌挿保持されると共に前記メネジ補助筒体の外周面の前後に対応して設けた凹部に前記両側の側板部においてカシメ等の手段により突出させた突出部が嵌入固着され、前記回止め枠の中央部にはネジ棒の通る開孔が開設されてなるパンタグラフ式ジャッキ。
【実施例】
【００２１】
以下、本発明のパンタグラフ式ジャッキを図面に示す実施例により説明すると、実施例のパンタグラフ式ジャッキ１は、左側上アーム２ａと右側上アーム２ｂが、上端を荷受枠３に、支軸３ａ，３ｂにより軸支されると共に、歯部２ａ１，２ｂ１を噛合させて接続している。
【００２２】
パンタグラフ式ジャッキ１は、左側下アーム４ａと右側下アーム４ｂが、下端を基台５に、支軸５ａ，５ｂにより軸支されると共に、歯部４ａ１，４ｂ１を噛合させて接続している。
【００２３】
前記左側上アーム２ａの下端と左側下アーム４ａの上端は、軸受孔２ａ２と軸受孔４ａ２が開設され、それぞれの端部は軸受孔２ａ２，４ａ２を同一の軸心と一致して重合され、それぞれの軸受孔２ａ２，４ａ２に左側連結部材６の支軸部を構成するメネジ軸９が挿通されて左側上アーム２ａと左側下アーム４ａは回動自在に連結される。
【００２４】
前記右側上アーム２ｂの下端と右側下アーム４ｂの上端は、前記軸受孔２ａ２と軸受孔４ａ２と同様の軸受孔が開設され、それぞれの端部は同じく重合されてそれぞれの軸受孔に右側連結部材７の支軸部７ａが挿通されて右側上アーム２ｂと右側下アーム４ｂは回動自在に連結される。
【００２５】
前記左側連結部材６と右側連結部材７にはネジ棒８が差渡され、該ネジ棒８の基端側に回転用ハンドルのフック（図示しない。）を係合する係合部８ａを備える。
【００２６】
前記ネジ棒８は、基端側に所要の間隔を空けてスラスト受部８ｃ，８ｄが形成され、該スラスト受部８ｃ，８ｄが前記右側連結部材７の両側面に連接されて前記ネジ棒８の右側連結部材７に対する回転位置が規制され、ネジ棒８の先端側が外径面に雄ネジ部８ｂが形成されて左側連結部材６の雌ネジ部１０ｂに螺合され、ネジ棒８の回転により左側連結部材６が進退され、左側連結部材６と右側連結部材７の間隔が拡縮し、基台５に対して荷受台３を昇降する。
【００２７】
前記左側連結部材６は、その支軸部を構成するメネジ軸９と、右側連結部材７側の延長部に雌ネジ部１０ｂを備え、一端と雌ネジ部１０ｂとの間がネジ棒８の通路孔１０ａに形成されるメネジ補助筒体１０と、メネジ補助筒体１０に対してメネジ軸９の回り止めとなる回止め枠１１から設けられる。
【００２８】
前記メネジ軸９は、丸棒の外周面が対向する平行面により中心から等距離に削設された２面平行丸棒体であると共に、従来の構造の雌ネジ孔が、ネジ棒８が通る透孔９ａに形成されて設けられる。
【００２９】
前記メネジ補助筒体１０は、その一端寄りに前記メネジ軸９を嵌挿する軸受孔１０ｃが前記通路孔１０ａを横断して設けられる。
【００３０】
前記回止め枠１１は、長方形の鋼板等の板材を、その中央部１１ａを方形に残して両側部分が折曲されて側板部１１ｂ，１１ｂが対面するコ字型状に設けられ、前記両側の側板部１１ｂ，１１ｂには回止め孔１１ｂ１，１１ｂ１が配備されて前記メネジ軸９が回転不能に嵌挿保持されると共に、前記メネジ補助筒体１０の外周面に相互に対向して設けた凹部１０ｄ、１０ｄに前記両側の側板部１１ｂ，１１ｂにおいてカシメ等の手段により突出させた突出部１１ｂ２，１１ｂ２が嵌入固着され、回止め枠１１の中央部１１ａにはネジ棒８の通る開孔１１ａ１が開設されてなるものである。
【００３１】
前記メネジ軸９の外形と回止め枠１１の回止め孔１１ｂ１はメネジ軸９を回転しないように保持することが目的であるから実施例の形状に限定されるものではない。
【００３２】
図７は、従来の一般的なパンタグラフ式ジャッキ２１の正面図であって、該ジャッキ２１は左側上アーム２２ａと右側上アーム２２ｂは、上端を荷受枠２３に、支軸２３ａ，２３ｂにより軸支されると共に、歯部２２ａ１，２２ｂ１を噛合させて接続し、左側下アーム２４ａと右側下アーム２４ｂは、下端を基台２５に、支軸２５ａ，２５ｂにより軸支されると共に、歯部２４ａ１，２４ｂ１を噛合させて接続し、前記左側上アーム２２ａの下端と左側下アーム２４ａの上端は、図８に示すように、軸受孔２２ａ２と軸受孔２４ａ２が開設され、それぞれの端部は軸受孔２２ａ２，２４ａ２を同一の軸心により重合され、それぞれの軸受孔２２ａ２，２４ａ２に左側連結部材２６の支軸部２６ａが挿通されて左側上アーム２２ａと左側下アーム２４ａは回動自在に連結される。
【００３３】
前記一般的なパンタグラフ式ジャッキ２１の右側上アーム２２ｂの下端と右側下アーム２４ｂの上端は、同じく、図８に示す前記軸受孔２２ａ２と軸受孔２４ａ２と同様の軸受孔が開設され、それぞれの端部は同じく重合されてそれぞれの軸受孔に右側連結部材２７の支軸部２７ａが挿通されて右側上アーム２２ｂと右側下アーム２４ｂは回動自在に連結される。
【００３４】
前記一般的なパンタグラフ式ジャッキ２１の左側連結部材２６と右側連結部材２７には、図７に示すように、ネジ棒２８が差渡され、該ネジ棒２８の基端側に回転用ハンドルのフック（図示しない。）を係合する係合部２８ａを備える。
【００３５】
前記一般的なパンタグラフ式ジャッキ２１のネジ棒２８は、図７に示すように、基端側に所要の間隔を空けてスラスト受部２８ｃ，２８ｄが形成され、該スラスト受部２８ｃ，２８ｄが前記右側連結部材２７の両側面に連接されて前記ネジ棒２８の右側連結部材２７に対する回転位置が規制され、図８に示すように、ネジ棒２８の先端側が外径面に雄ネジ部２８ｂが形成されて左側連結部材２６の雌ネジ部２６ｃに螺合されてなるものである。
【００３６】
本発明のパンタグラフ式ジャッキ１は、ネジ棒２８の回転により左側連結部材２６が進退され、左側連結部材２６と右側連結部材２７の間隔が拡縮し、基台２５に対して荷受台２３を昇降する。
【００３７】
本発明のパンタグラフ式ジャッキ１のネジ棒８は、従来のネジ棒に比較して短く構成することができ、先端を回止め枠１１の中央部１１ａより外方に大きく突出させることなく格納状態に折畳むことができる。
【００３８】
本発明のパンタグラフ式ジャッキ１の左側連結部材６を構成するメネジ軸９は、丸棒の中心から等距離に外周面が削設されて対向する２面平行丸棒体であると共にこのメネジ軸９を貫通する透孔９ａが形成されるから、メネジ軸９が回止め枠１１の側部１１ｂ，１１ｂの回止め孔１１ｂ１，１１ｂ１に嵌挿された状態では、回止め枠１１を介してメネジ補助筒体１０と一体の定位置に保持され、メネジ軸９の透孔９ａも定位置に保持されてネジ棒８を衝突させることなく進退させることができる。
【００３９】
本発明のパンタグラフ式ジャッキ１は、メネジ補助筒体１０に対して回止め枠１１が、メネジ補助筒体１０の外周面に形成した凹部１０ｄに回止め枠１１の側板部１１ｂ，１１ｂの対応部１１ｂ２，１１ｂ２が押圧等のプレス手段で突入され、両者が固着されるから簡易な工程で強固に一体化ができる。
【産業上の利用可能性】
【００４０】
本発明のパンタグラフ式ジャッキは、従来のこの種ジャッキの雌ネジメタルの部分を改良し、ネジ棒を短く構成することができ、昇降機能の円滑性と折畳み格納の性能と生産性に優れるパンタグラフ式ジャッキを提供できる。
【符号の説明】
【００４１】
１  パンタグラフ式ジャッキ
２ａ  左側上アーム
２ａ１  歯部
２ａ２  軸受孔
２ｂ  右側上アーム
２ｂ１  歯部
３  荷受枠
３ａ  支軸
３ｂ  支軸
４ａ  左側下アーム
４ａ１  歯部
４ａ２  軸受孔
４ｂ  右側下アーム
４ｂ１  歯部
５  基台
５ａ  支軸
５ｂ  支軸
６  左側連結部材
７  右側連結部材
７ａ  支軸部
８  ネジ棒
８ａ  係合部
８ｂ  雄ネジ部
８ｃ  スラスト受部
８ｄ  スラスト受部
９  メネジ軸
９ａ  透孔
１０  メネジ補助筒体
１０ａ  通路孔
１０ｂ  雌ネジ部
１０ｃ  軸受孔
１０ｄ  凹部
１１  回止め枠
１１ａ  中央部
１１ａ１  開孔
１１ｂ  側板部
１１ｂ１  回止め孔
１１ｂ２  突出部
【図１】
2016132560.tif 000003
【図２】
2016132560.tif 000004
【図３】
2016132560.tif 000005
【図４】
2016132560.tif 000006
【図５】
2016132560.tif 000007
【図６】
2016132560.tif 000008
【図７】
2016132560.tif 000009
【図８】
2016132560.tif 000010